(57)【要約】【課題】折畳み後はトランクを手で押すような方式で、簡単に使用することができ、折畳み・携帯に便利であるボックス式折畳み型電動補助自転車。【解決手段】収容ボックス１０からなり、収容ボックス１０の前側には前管２０を設置し、しかも前管２０の両端にはそれぞれハンドル１４及び前輪２４を設置し、収容ボックス１０は屈折可能なメインサポートフレーム３１を固定し、メインサポートフレーム３１にはフリーホイール３４及び両側のペダル３５を可動設置し、末端には後輪３７を可動設置し、後輪３７中央には伝動輪３８、３９を設置し、チェーンによりフリーホイール３４及び伝動輪３８、３９を連動し、メインサポートフレーム３１に相対し伸縮可能な伸縮スリーブ４０を設置し、伸縮スリーブ４０の頂点端にはサドル４１を設置し、メインサポートフレーム３１、フリーホイール３４、後輪３７、伸縮スリーブ４０、サドル４１を収容ボックス１０内に収容し、前輪２４を対応させ、車体全体の携帯が便利である。【選択図】図１
0003147716.tif 000002
【実用新案登録請求の範囲】
【請求項１】
ボックス式折畳み型電動補助自転車であって、
内部に収容設置空間を形成する収容ボックス、該収容ボックスの扉とは反対側に設置し、しかも上前管及び下前管を備える前管、該収容ボックス内に収容可能で、メインサポートフレームを設置する伝動装置、該前輪及び該後輪にそれぞれブレーキシステムを設置するブレーキ装置、該メインサポートフレームに固定して設置し、しかも該第一ピボット及び該リアフレームの間に位置する伸縮スリーブからなり、
該収容ボックスの上方には持ち上げ式ハンドルを設置し、
該上前管は該収容ボックスに可動設置し、しかも該収容ボックスを貫通し、折畳み収納式のハンドルを設置し、該下前管の一端は該上前管に連結し、反対端には前輪を可動設置し、
該伝動装置の該メインサポートフレームには回転が可能な第一ピボット及び第二ピボットを設置し、該第一ピボットと該第二ピボット間にはフリーホイールを設置し、該フリーホイールの両側にはそれぞれペダルを設置し、これにより両側のペダルは該フリーホイールの回転を伝動し、しかも該メインサポートフレームの該収容ボックスとは反対の一端と該第二ピボット間にはリアフレームを設置し、該リアフレームには後輪を可動設置し、該後輪は同軸の第一伝動輪を設置し、該フリーホイールと該第一伝動輪間はメインチェーンにより連動し、
該伸縮スリーブは伸縮調整が可能で、該伸縮スリーブの頂点端にはサドルを設置したことを特徴とする、ボックス式折畳み型電動補助自転車。
【請求項２】
前記収容ボックスは、外側に少なくとも一枚の扉を設置したことを特徴とする、請求項１記載のボックス式折畳み型電動補助自転車。
【請求項３】
前記収容ボックスは、観音開きの二枚の扉を設置したことを特徴とする、請求項２記載のボックス式折畳み型電動補助自転車。
【請求項４】
前記収容ボックスは、該扉の底面位置に足踏み棒を設置したことを特徴とする、請求項１記載のボックス式折畳み型電動補助自転車。
【請求項５】
前記収容ボックス底部には、少なくとも一個の補助輪を設置したことを特徴とする、請求項１記載のボックス式折畳み型電動補助自転車。
【請求項６】
前記補助輪は二個設置し、しかもそれぞれ該収容ボックスの両側に位置することを特徴とする、請求項５記載のボックス式折畳み型電動補助自転車。
【請求項７】
前記収容ボックスは、片側に容量を拡大可能な伸縮カバーを環状に設置することができることを特徴とする、請求項１記載のボックス式折畳み型電動補助自転車。
【請求項８】
前記ハンドルは、折畳み式であることを特徴とする、請求項１記載のボックス式折畳み型電動補助自転車。
【請求項９】
前記後輪と該第一伝動輪は、同軸で第二伝動輪を設置し、電動装置を設置し、該電動装置はバッテリーを設置し、該バッテリーは該収容ボックス内に設置し、該メインサポートフレームに該バッテリーが電気で伝動する駆動ユニットを可動設置し、該駆動ユニットは該後輪の回転を駆動可能であることを特徴とする、請求項１記載のボックス式折畳み型電動補助自転車。
【請求項１０】
前記駆動ユニットは、セルフ駆動モーターに置換可能であることを特徴とする、請求項１記載のボックス式折畳み型電動補助自転車。
【請求項１１】
前記駆動ユニットはモーター、及び該モーターの連動を受ける駆動輪を設置し、該駆動輪と第二伝動輪は補助チェーンを設置し連結されることを特徴とする、請求項９記載のボックス式折畳み型電動補助自転車。
【請求項１２】
前記駆動ユニットはモーター、及び該モーターの連動を受ける駆動輪を設置し、該駆動輪と第二伝動輪の連結は直接或いは間接的に噛み合う伝動方式であることを特徴とする、請求項９記載のボックス式折畳み型電動補助自転車。
【考案の詳細な説明】
【技術分野】
【０００１】
本考案は、自転車に関し、特に折畳み・携帯に便利なボックス式折畳み型電動補助自転車に関するものである。
【背景技術】
【０００２】
一般の折畳み式自転車を携帯する場合には、通常は別に専用のカバーを購入してそれに収容し、それを手で持つ、或いは肩に掛ける方式で携帯しなければならないため、非常に不便である。
さらに、該折畳み自転車の重量は、少なくとも２０キロはあり、しかも体積が大きいため、カバーに収容する操作は骨が折れ、また携帯にも不便である。
しかも、上記した折畳み式自転車に電動装置を増設すれば、使用及び携帯においてはさらに扱いが不便となってしまう。
本考案は、従来の折畳み式自転車の上記した欠点に鑑みてなされたものである。
【特許文献１】登録実用新案第３１４３８０１号公報
【考案の開示】
【考案が解決しようとする課題】
【０００３】
本考案が解決しようとする課題は、折畳みが便利で、携帯が容易なボックス式折畳み型電動補助自転車を提供することである。
【課題を解決するための手段】
【０００４】
上記課題を解決するため、本考案は下記のボックス式折畳み型電動補助自転車を提供する。
ボックス式折畳み型電動補助自転車は、内部に収容設置空間を形成する収容ボックス、該収容ボックスの扉とは反対側に設置し、しかも上前管及び下前管を備える前管、該収容ボックス内に収容可能で、メインサポートフレームを設置する伝動装置、該前輪及び該後輪にそれぞれブレーキシステムを設置するブレーキ装置、該メインサポートフレームに固定して設置し、しかも該第一ピボット及び該リアフレームの間に位置する伸縮スリーブからなり、
該上前管は該収容ボックスに可動設置し、しかも該収容ボックスを貫通し、ハンドルを設置し、該下前管の一端は該上前管に連結し、反対端には前輪を可動設置し、
該伝動装置の該メインサポートフレームには回転が可能な第一ピボット及び第二ピボットを設置し、該第一ピボットと該第二ピボット間にはフリーホイールを設置し、該フリーホイールの両側にはそれぞれペダルを設置し、これにより両側のペダルは該フリーホイールの回転を伝動し、しかも該メインサポートフレームの該収容ボックスとは反対の一端と該第二ピボット間にはリアフレームを設置し、該リアフレームには後輪を可動設置し、該後輪は同軸の第一伝動輪を設置し、該フリーホイールと該第一伝動輪間はメインチェーンにより連動し、
該伸縮スリーブは伸縮調整が可能で、該伸縮スリーブの頂点端にはサドルを設置する。
【考案の効果】
【０００５】
本考案の折畳み後は、使用者はトランクを手で押すような方式で、簡単に使用することができ、折畳み・携帯に便利である。
【考案を実施するための最良の形態】
【０００６】
以下に図面を参照しながら本考案を実施するための最良の形態について詳細に説明する。
図１及び図２に示すように、本考案のボックス式折畳み型電動補助自転車は、収容ボックス１０、前管２０、伝動装置３０、ブレーキ装置（図示なし）、伸縮スリーブ４０、電動装置５０により構成する。
【０００７】
該収容ボックス１０内には収容設置空間（図示なし）を形成し、しかも該収容ボックス１０は、外側に少なくとも一枚の扉１１を設置する。図示では、観音開きの二枚の扉１１である。
該収容ボックス１０は、該扉１１の底面位置に足踏み棒１２を設置する。
該収容ボックス１０底部には少なくとも一個の補助輪１３（図示は二個）を設置し、それらはそれぞれ該収容ボックス１０の両側に位置する。
該収容ボックス１０の上方には持ち上げ式ハンドル１４を設置する。
該収容ボックス１０の片側には、容量を拡大可能な伸縮カバーを環状に設置することができる。
【０００８】
該前管２０は該収容ボックス１０の該扉１１とは反対側に設置し、しかも該前管２０は上前管２１及び下前管２３からなる。
該上前管２１は該収容ボックス１０に可動接続し、しかも該収容ボックス１０を貫通し、折畳み収納式のハンドル２２を設置する。
該下前管２３の一端は、該上前管２１に連結し、反対端には前輪２４を可動接続する。
【０００９】
該伝動装置３０にはメインサポートフレーム３１を設置し、該メインサポートフレーム３１には、回転が可能な第一ピボット３２と第二ピボット３３を設置し、該第一ピボット３２と該第二ピボット３３の間にはフリーホイール３４を設置する。
該フリーホイール３４の両側には、それぞれペダル３５を設置し、これにより両側のペダル３５は該フリーホイール３４の回転を伝動することができる。
しかも該メインサポートフレーム３１の該収容ボックス１０とは反対の一端と該第二ピボット３３との間には、リアフレーム３６を設置する。
該リアフレーム３６は後輪３７を可動設置し、該後輪３７は同軸の第一伝動輪３８及び第二伝動輪３９を設置し、該フリーホイール３４と該第一伝動輪３８との間は、メインチェーン３４０が連動する。
【００１０】
ブレーキ装置（図示なし）は、該前輪及び該後輪のブレーキシステムである。
【００１１】
該伸縮スリーブ４０は該メインサポートフレーム３１に設置し、しかも該第一ピボット３２及び該リアフレーム３６の間に位置する。
該伸縮スリーブ４０は可動接続端４２と伸縮調整が可能で、該伸縮スリーブ４０の頂点端にはサドル４１を設置する。
【００１２】
該電動装置５０はバッテリー５１を設置する。
該バッテリー５１は該収容ボックス１０内に設置し、該メインサポートフレーム３１において該バッテリー５１が電気で伝動する駆動ユニット５２を可動設置する。
該駆動ユニット５２はモーター５２０、及び該モーター５２０の駆動を受ける駆動輪５２１を設置し、該駆動輪５２１と該第二伝動輪３９は補助チェーン５３を設置し連結される。
或いは、該駆動ユニット５２はモーター５２０、及び該モーター５２０の連動を受ける駆動輪５２１を設置し、該駆動輪５２１と第二伝動輪３９の連結は、直接或いは間接的な噛み合い伝動とし、チェーンを不要とする。
【００１３】
図７は、本考案の第二最適実施形態を示す。
本実施形態では、前輪(或いは後輪)の軸心位置に、独立駆動のセルフ駆動モーター６を可動設置し、これにより該前輪(或いは後輪)を駆動し、折畳み式自転車を電動走行可能とすることができ、こうして該駆動ユニット５２０に置換することができる。
上記構造により、本考案ボックス式折畳み型電動補助自転車を完成する。
【００１４】
使用時には、図１及び図２に示すように、使用者は、両側のペダル３５を踏み込み、該フリーホイール３４を回転させ、順番に該第一伝動輪３８及び該後輪３７を回転させる。
さらに、該ハンドル２１を操作することで、使用者が動かす方向に従い、該上前管２２及び該下前管２３を連動し、該前輪２４の回転を連動する。
【００１５】
折畳み収納時には、図１、２、４に示すように、該伸縮スリーブ４０を縮め、しかも該足踏み棒１２を該収容ボックス１０内に収容する。
さらに該メインサポートフレーム３１の第一ピボット３２及び第二ピボット３３の回転を対応させ、該メインサポートフレーム３１を該伸縮スリーブ４０、後輪３７等と共に、該収容ボックス１０内に収容する。
【００１６】
続いて、図５に示すように、該下前管２３を該補助輪１３の方向へと回し、該収容ボックス１０内部へと押し入れる。
こうして該前輪２４と該補助輪１３底面の高度は相同となり、図６に示すように、同時に二枚の扉１１を閉める。
これにより使用者はトランクを手で押すような方式で、使用することができる。
【図面の簡単な説明】
【００１７】
【図１】本考案の平面側面図である。
【図２】本考案の俯瞰図である。
【図３】本考案の折畳み収納状態を示す後面図である。
【図４】本考案の折畳み収納状態を示す側面図である。
【図５】本考案の折畳み収納動作を示す指示図である。
【図６】本考案の折畳み収納完成状態の側面図である。
【図７】本考案の第二最適実施形態図である。
【符号の説明】
【００１８】
１０  収容ボックス
１１  扉
１２  足踏み棒
１３  補助輪
１４  ハンドル
２０  前管
２２  上前管
２１  ハンドル 
２３  下前管
２４  前輪
３０  伝動装置
３１  メインサポートフレーム
３２  第一ピボット
３３  第二ピボット
３４  フリーホイール
３４０  メインチェーン
３５  ペダル
３６  リアフレーム
３７  後輪
３８  第一伝動輪
３９  第二伝動輪
４０  伸縮スリーブ
４１  サドル
４２  可動接続端
５０  電動装置
５１  バッテリー
５２  駆動ユニット
５２０  モーター
５２１  駆動輪 
５３  補助チェーン
６  セルフ駆動モーター
【図１】
0003147716.tif 000003
【図２】
0003147716.tif 000004
【図３】
0003147716.tif 000005
【図４】
0003147716.tif 000006
【図５】
0003147716.tif 000007
【図６】
0003147716.tif 000008
【図７】
0003147716.tif 000009